【手続補正書】
【提出日】平成16年9月14日(2004.9.14)
【手続補正１】
【補正対象書類名】特許請求の範囲
【補正対象項目名】全文
【補正方法】変更
【補正の内容】
【特許請求の範囲】
【請求項１】
無線ネットワークであって、
複数のクラスター・ヘッドを有するクラスター・ヘッド・ネットワークと、
前記クラスター・ヘッド・ネットワークに対して階層的に配置されるセンサー／アクチュエータ・ネットワークであって、複数のノード・レベルに配置される複数のセンサー／アクチュエータ・ノードを有し、自己編成するセンサー／アクチュエータ・ネットワークと、
を備え、全センサー／アクチュエータ・ネットワーク・トポロジに関する情報が、前記クラスター・ヘッドのそれぞれにおいて時間同期された方法で保持され、全センサー／アクチュエータ・ノードが前記クラスター・ヘッド・ネットワークについて同期される無線ネットワーク。
【請求項２】
請求項１記載の無線ネットワークであって、故障単点を含まない無線ネットワーク。
【請求項３】
請求項１記載の無線ネットワークであって、中央基地局を含まない無線ネットワーク。
【請求項４】
請求項１記載の無線ネットワークであって、前記少なくとも一つのクラスター・ヘッドが、他のクラスター・ヘッドと比較して前記無線ネットワークに関する重複した情報を含む無線ネットワーク。
【請求項５】
請求項４記載の無線ネットワークであって、前記重複した情報が、前記少なくとも一つのクラスター・ヘッドの任意の一つにおいてユーザーによりアクセス可能である無線ネットワーク。
【請求項６】
請求項５記載の無線ネットワークであって、前記ユーザーが前記少なくとも一つのクラスター・ヘッドのうちの少なくとも一つ及び前記重複した情報と相互作用するよう構成される無線ネットワーク。
【請求項７】
請求項１記載の無線ネットワークであって、前記少なくとも一つのクラスター・ヘッドが、任意のクラスター・ヘッドによりタスクが実行されるために、前記センサー／アクチュエータ・ノードを制御又は管理するよう構成される無線ネットワーク。
【請求項８】
請求項１記載の無線ネットワークであって、ユーザーによる相互作用及び詳細な設計の少なくとも一つを必要とせずに構成可能な無線ネットワーク。
【請求項９】
請求項１記載の無線ネットワークであって、リンク障害及びセンサー／アクチュエータ・ノード障害のうちの少なくとも一つに関わらず再構成可能な無線ネットワーク。
【請求項１０】
請求項１記載の無線ネットワークであって、前記無線ネットワークの有効なライフタイムが最適化される無線ネットワーク。
【請求項１１】
請求項１記載の無線ネットワークであって、セキュリティ、ホーム・オートメーション、環境制御及び管理・制御のうちの少なくとも一つに適用される無線ネットワーク。
【請求項１２】
請求項１記載の無線ネットワークであって、前記少なくとも一つのクラスター・ヘッドが基地局を含む無線ネットワーク。
【請求項１３】
請求項１記載の無線ネットワークであって、前記センサー／アクチュエータ・ノードがセンサー要素を含む無線ネットワーク。
【請求項１４】
請求項１３記載の無線ネットワークであって、前記センサー要素が煙探知機、運動探知機、温度センサー及びドア／窓接触のうちの少なくとも一つを含む無線ネットワーク。
【請求項１５】
請求項１記載の無線ネットワークであって、前記センサー／アクチュエータ・ノードがアクチュエータを含む無線ネットワーク。
【請求項１６】
請求項１５記載の無線ネットワークであって、前記アクチュエータが、警告音発生器及びバルブ・アクチュエータの少なくとも一つを含む無線ネットワーク。
【請求項１７】
請求項１記載の無線ネットワークであって、前記センサー／アクチュエータ・ノードが電力線により電力供給されるノードを含む無線ネットワーク。
【請求項１８】
請求項１７記載の無線ネットワークであって、前記電力線により電力供給されるノードがマルチホップ・ポイントの役割を果たすよう構成される無線ネットワーク。
【請求項１９】
請求項１７記載の無線ネットワークであって、前記電力線により電力供給されるノードがバックアップ電源を含む無線ネットワーク。
【請求項２０】
請求項１記載の無線ネットワークであって、前記センサー／アクチュエータ・ノードが電池式ノードを含む無線ネットワーク。
【請求項２１】
請求項２０記載の無線ネットワークであって、前記電池式ノードが太陽電池及び圧電セラミック発電器の少なくとも一つを含む無線ネットワーク。
【請求項２２】
請求項２０記載の無線ネットワークであって、前記電池式ノードがマルチホップ・ポイントの役割を果たすよう構成される無線ネットワーク。
【請求項２３】
請求項１記載の無線ネットワークであって、前記センサー／アクチュエータ・ノードが、限られた能力を有する電池式ノードを含む無線ネットワーク。
【請求項２４】
請求項１記載の無線ネットワークであって、前記クラスター・ヘッドが、前記センサー／アクチュエータ・ノードと通信するための第1の無線通信モジュールと、他のクラスター・ヘッドと通信するための第２の無線通信モジュールとを含む無線ネットワーク。
【請求項２５】
請求項１記載の無線ネットワークであって、前記少なくとも一つのクラスター・ヘッドが、前記センサー／アクチュエータ・ノード及び他のクラスター・ヘッドと通信するための単一の無線通信モジュールを備える無線ネットワーク。
【請求項２６】
請求項１記載の無線ネットワークであって、前記少なくとも一つのクラスター・ヘッドが、標準的な有線の送受信機又は標準的な無線の送受信機の一つを備える無線ネットワーク。
【請求項２７】
請求項１記載の無線ネットワークであって、前記少なくとも一つのクラスター・ヘッドが、イーサネット（登録商標）及びブルートゥースの送受信機の少なくとも一つを備える無線ネットワーク。
【請求項２８】
請求項１記載の無線ネットワークであって、更に、前記クラスター・ヘッド・ネットワークに接続されたパネルを備える無線ネットワーク。
【請求項２９】
請求項２８記載の無線ネットワークであって、前記パネルが、ローカル・エリア・ネットワーク、専用有線リンク、及び専用無線リンクのうちの一つを介して前記クラスター・ヘッド・ネットワークに接続される無線ネットワーク。
【請求項３０】
請求項２８記載の無線ネットワークであって、前記パネルが、前記クラスター・ヘッド・ネットワーク及び前記センサー／アクチュエータ・ノード・ネットワークのうちの前記少なくとも一つを自動構成するためのソフトウェアを含む無線ネットワーク。
【請求項３１】
請求項２８記載の無線ネットワークであって、前記パネルがパーソナル・コンピュータを含む無線ネットワーク。
【請求項３２】
請求項１記載の無線ネットワークであって、前記センサー／アクチュエータ・ノードが省エネルギー・ポーリング・モードで動作するよう構成される無線ネットワーク。
【請求項３３】
請求項１記載の無線ネットワークであって、前記センサー／アクチュエータ・ノードが、標識信号を求めてチャンネルを走査するために、ビルト・インのタイマーにより起動されるよう構成される無線ネットワーク。
【請求項３４】
請求項３３記載の無線ネットワークであって、前記標識信号がＲＦトーン及び特別なシーケンスのうちの一つである無線ネットワーク。
【請求項３５】
請求項１記載の無線ネットワークであって、前記少なくとも一つのクラスター・ヘッド及びセンサー／アクチュエータ・ノードが、一意の識別子を含む無線ネットワーク。
【請求項３６】
センサー／アクチュエータ・ノードを無線でネットワーク接続する方法であって、
複数のクラスター・ヘッドを有するクラスター・ヘッド・ネットワークを初期化するステップと、
統合された無線ネットワークを形成するようセンサー／アクチュエータ・ノード・ネットワークを初期化するステップであって、該センサー／アクチュエータ・ノードが複数のノード・レベルを形成するステップと、
前記統合された無線ネットワークを動作させるステップと、
を備え、全センサー／アクチュエータ・ネットワーク・トポロジに関する情報が、前記クラスター・ヘッドのそれぞれにおいて時間同期された方法で保持され、全センサー／アクチュエータ・ノードが前記クラスター・ヘッド・ネットワークについて同期される方法。
【請求項３７】
請求項３６記載の方法であって、前記クラスター・ヘッド・ネットワークを初期化するステップが、更に、
クラスター・ヘッドに前記クラスター・ヘッド・ネットワークの前記クラスター・ヘッドの識別子リストを提供するステップと、
問い合わせパケット及び前記識別子リストを交換することにより、前記クラスター・ヘッド間のリンクを検出するステップと、
経路テーブルのエントリを更新するステップと、
メッセージ遅延、ホップ数及び前記クラスター・ヘッド間の接続のうちの少なくとも一つに基づいて最適トポロジを決定するステップと、
を備える方法。
【請求項３８】
請求項３６記載の方法であって、前記センサー／アクチュエータ・ノード・ネットワークを初期化する前記ステップが、更に、
第一層のセンサー／アクチュエータ・ノードを起動しリンク情報を収集するために、前記クラスター・ヘッドから第一層のセンサー／アクチュエータ・ノードに標識信号及びリンク検出パケットを送信するステップと、
前記上位層ノードを起動し前記リンク情報を収集するために、前記下位層ノードから前記上位層ノードへ前記標識信号及びリンク検出パケットを連続的に送信するステップと、
経路検出パケットを前記センサー／アクチュエータ・ノードに送信するステップと、
前記リンク情報を含む経路登録パケットを前記クラスター・ヘッドに送信するステップと、
前記リンク情報を、前記クラスター・ヘッド・ネットワークの全クラスター・ヘッドで共有するステップと、
を備える方法。
【請求項３９】
請求項３６記載の方法であって、前記センサー／アクチュエータ・ノード・ネットワークを初期化する前記ステップが、更に、
前記センサー／アクチュエータ・ノードを起動しリンク情報を収集するために、前記ノード・レベルのそれぞれに対し標識信号及びリンク検出パケットを連続的に送信するステップと、
前記リンク情報を前記クラスター・ヘッド・ネットワークに送信することにより、前記センサー／アクチュエータ・ノードを登録するステップと、
前記リンク情報を、前記クラスター・ヘッド・ネットワークの全クラスター・ヘッドで共有するステップと、
を備える方法。
【請求項４０】
請求項３６記載の方法であって、前記統合された無線ネットワークを動作させるステップが、更に、
前記クラスター・ヘッド・ネットワークの前記クラスター・ヘッド間でリンク情報を継続的に共有するステップと、
前記センサー／アクチュエータ・ノードをエネルギー効率の良いモード動作させるステップと、
を備える方法。
【請求項４１】
請求項４０記載の方法であって、前記センサー／アクチュエータ・ノードを動作させるステップが、更に、
前記センサー／アクチュエータ・ノードを、標識信号の検出、自己試験を実行及びタスクの実行のいずれかのために、短いサイクルに渡り起動するステップ
を備える方法。
【請求項４２】
請求項３６記載の方法であって、更に、
リンク障害及びノード障害のいずれかの場合に、前記センサー／アクチュエータ・ネットワークを再構成するステップ
を備える方法。
【請求項４３】
請求項４２記載の方法であって、再構成する前記ステップが、更に、
センサー／アクチュエータ・ノードに格納されたリンク情報に従って代わりの経路を決定するステップ
を備える方法。
【請求項４４】
請求項４２記載の方法であって、再構成する前記ステップが、更に、
失われたセンサー／アクチュエータ・ノードの隣接のセンサー／アクチュエータ・ノードに対し、  失われたセンサー／アクチュエータ・ノードについて前記隣接のセンサー／アクチュエータ・ノードに格納されたリンク情報を取得するために、ＳＯＳメッセージを送信するステップ
を備える方法。
【請求項４５】
請求項４２記載の方法であって、再構成する前記ステップが、更に、
前記クラスター・ヘッドに格納された前記リンク情報に従って代わりの経路を決定するステップ
を備える方法。
【請求項４６】
請求項４２記載の方法であって、再構成する前記ステップが、更に、
前記統合された無線ネットワークを２つ以上のセグメントに分割するステップ
を備える方法。
【請求項４７】
請求項１記載の無線ネットワークであって、前記クラスター・ヘッド・ネットワーク及び前記センサー／アクチュエータ・ネットワークが、各センサー／アクチュエータ・ノードの内部クロックの連続的な再同期を可能とするよう構成される無線ネットワーク。
【請求項４８】
請求項１記載の無線ネットワークにおいて、前記クラスター・ヘッドが、時間同期された方法でタスクを実行するために、前記クラスター・ヘッドの内部クロックを同期させるよう構成された無線ネットワーク。
【請求項４９】
請求項１記載の無線ネットワークであって、前記センサー／アクチュエータ・ノードがノード・クラスに従って配置される無線ネットワーク。
【請求項５０】
請求項４９記載の無線ネットワークであって、前記ノード・クラスが電力制約能力を有する無線ネットワーク。